(57)【要約】  【課題】  汎用性の高い低価格な第１の送受信装置と、単機能ではあるが高価な第２の送受信装置とはそれぞれ独立して使用され、第１の送受信装置で第２の送受信装置の持つ単機能を使用できないという課題があった。  【解決手段】  第１の送受信装置５１と第２の送受信装置５２とを接続して使用し、双方の機能が使用可能とする。送信時、第２の送受信装置５２内のデータ符号化復号化手段５２２で符号化されたパケットは、第１の送受信装置５１により送信される。受信時、第１の送受信装置５１で受信したパケットは、第２の送受信装置５２内のデータ符号化復号化手段５２２で復号化される。これにより、第１の送受信装置５１には存在しないデータ符号化復号化機能が付加される。  【選択図】  図５
2005123802.tif 000002
【特許請求の範囲】
【請求項１】
入力されたデータを符号化し、符号化データを出力するデータ符号化手段と、
第１のモードでは前記符号化データを第２の送信パケットに変換し、第２のモードでは該符号化データを第１の送信装置へ出力する出力制御手段と、
前記第２の送信パケットを送信する送信手段とを有する、第２の送信装置と、
前記第１のモードでは第１の送信パケットを送信し、前記第２のモードでは前記第２の送信装置より入力された符号化データを変換して第２の送信パケットとして送信する前記第１の送信装置と、を備えた、
ことを特徴とするデータ送信装置。
【請求項２】
請求項１に記載のデータ送信装置において、
前記第１のモードでは前記第１の送信装置と前記第２の送信装置とを互いに独立して使用する、
ことを特徴とするデータ送信装置。
【請求項３】
請求項１に記載のデータ送信装置において、
前記第２のモードでは前記送信手段は動作を停止する、
ことを特徴とするデータ送信装置。
【請求項４】
請求項１乃至請求項３のいずれかに記載のデータ送信装置において、
前記第１，第２の送信装置は、第１，第２のクロック信号を生成する第１，第２の発振手段をそれぞれさらに有し、
前記第１のモードでは、前記第１，第２の送信装置は前記第１，第２のクロック信号にそれぞれ同期して動作し、
前記第２のモードでは、前記第１の送信装置は前記第１のクロック信号に同期して動作するとともに、該第１のクロック信号を前記第２の送信装置へ出力し、該第２の送信装置は入力された前記第１のクロック信号に同期して動作する、
ことを特徴とするデータ送信装置。
【請求項５】
請求項１乃至請求項３のいずれかに記載のデータ送信装置において、
前記第１，第２の送信装置は、第１，第２のクロック信号を生成する第１，第２の発振手段をそれぞれさらに有し、
前記第１のモードでは、前記第１，第２の送信装置は前記第１，第２のクロック信号にそれぞれ同期して動作し、
前記第２のモードでは、前記第２の送信装置は前記第２のクロック信号に同期して動作するとともに、該第２のクロック信号を前記第１の送信装置へ出力し、該第１の送信装置は入力された前記第２のクロック信号に同期して動作する、
ことを特徴とするデータ送信装置。
【請求項６】
請求項１乃至請求項３のいずれかに記載のデータ送信装置において、
前記出力制御手段は、一時記憶手段を備え、
該一時記憶手段を、前記第１のモードでは前記符号化データを前記送信手段より送信するために使用し、前記第２のモードでは該符号化データを一時記憶して前記出力制御手段より前記第１の送信装置へ出力するために使用する、
ことを特徴とするデータ送信装置。
【請求項７】
第２の受信パケットを受信する受信手段と、
第１のモードでは前記受信手段の受信した第２の受信パケットを符号化データに変換し、第２のモードでは第１の受信装置から入力された符号化データを出力する出力制御手段と、
該出力制御手段により出力された符号化データを復号化するデータ復号化手段と、を有する、第２の受信装置と、
前記第１のモードでは第１の受信パケットを受信し、前記第２のモードでは前記第２の受信パケットを受信して前記符号化データに変換する前記第１の受信装置と、を備えた、
ことを特徴とするデータ受信装置。
【請求項８】
請求項７に記載のデータ受信装置において、
前記第１のモードでは前記第１の受信装置と前記第２の受信装置とを互いに独立して使用する、
ことを特徴とするデータ受信装置。
【請求項９】
請求項７に記載のデータ受信装置において、
前記第２のモードでは前記受信手段は動作を停止する、
ことを特徴とするデータ受信装置。
【請求項１０】
請求項７乃至請求項９のいずれかに記載のデータ受信装置において、
前記第１，第２の受信装置は、第１，第２のクロック信号を生成する第１，第２の発振手段をそれぞれさらに有し、
前記第１のモードでは、前記第１，第２の受信装置は前記第１，第２のクロック信号にそれぞれ同期して動作し、
前記第２のモードでは、前記第１の受信装置は前記第１のクロック信号に同期して動作するとともに、該第１のクロック信号を前記第２の受信装置へ出力し、該第２の受信装置は入力された前記第１のクロック信号に同期して動作する、
ことを特徴とするデータ受信装置。
【請求項１１】
請求項７乃至請求項９のいずれかに記載のデータ受信装置において、
前記第１，第２の受信装置は、第１，第２のクロック信号を生成する第１，第２の発振手段をそれぞれさらに有し、
前記第１のモードでは、前記第１，第２の受信装置は前記第１，第２のクロック信号にそれぞれ同期して動作し、
前記第２のモードでは、前記第２の受信装置は前記第２のクロック信号に同期して動作するとともに、該第２のクロック信号を前記第１の受信装置へ出力し、該第１の受信装置は入力された前記第２のクロック信号に同期して動作する、
ことを特徴とするデータ受信装置。
【請求項１２】
請求項７乃至請求項９のいずれかに記載のデータ受信装置において、
前記入力制御手段は、一時記憶手段を備え、
該一時記憶手段を、前記第１のモードでは前記受信手段の受信した第２の受信パケットを一時記憶し、前記第２のモードでは前記第１の受信装置から入力された符号化データを一時記憶するために使用する、
ことを特徴とするデータ受信装置。
【請求項１３】
入力されたデータを符号化して符号化データを出力し、または入力された符号化データを復号化して復号化データを出力するデータ符号化復号化手段と、
第１のモードでは、送信時に前記データ符号化復号化手段から入力された符号化データを第２の送信パケットに変換して送受信手段に出力し、受信時に前記送受信手段の受信した第２の受信パケットを符号化データに変換して前記データ符号化復号化手段に出力し、
第２のモードでは、送信時に前記データ符号化復号化手段から入力された符号化データを第１の送受信装置へ出力し、受信時に第１の送受信装置から入力された符号化データを前記データ符号化復号化手段に出力する入出力制御手段と、
前記入出力制御手段により出力された第２の送信パケットを送信し、または第２の受信パケットを受信する送受信手段とを有する、第２の送受信装置と、
送信時に、前記第１のモードでは第１の送信パケットを送信し、前記第２のモードでは前記第２の送受信装置より入力された符号化データを変換して第２の送信パケットとして送信し、受信時に、前記第１のモードでは第１の受信パケットを受信し、前記第２のモードでは前記第２の受信パケットを受信して前記符号化データに変換する前記第１の送受信装置と、を備えた、
ことを特徴とするデータ送受信装置。
【請求項１４】
請求項１３に記載のデータ送受信装置において、
前記第１のモードでは、前記第１の送受信装置と前記第２の送受信装置とを互いに独立して使用する、
ことを特徴とするデータ送受信装置。
【請求項１５】
請求項１３に記載のデータ送受信装置において、
前記第２のモードでは、前記送受信手段は動作を停止する、
ことを特徴とするデータ送受信装置。
【請求項１６】
請求項１３乃至請求項１５のいずれかに記載のデータ送受信装置において、
前記第１，第２の送受信装置は、第１，第２のクロック信号を生成する第１，第２の発振手段をそれぞれさらに有し、
前記第１のモードでは、前記第１，第２の送受信装置は前記第１，第２のクロック信号にそれぞれ同期して動作し、
前記第２のモードでは、前記第１の送受信装置は前記第１のクロック信号に同期して動作するとともに、該第１のクロック信号を前記第２の送受信装置に出力し、該第２の送受信装置は入力された前記第１のクロック信号に同期して動作する、
ことを特徴とするデータ送受信装置。
【請求項１７】
請求項１３乃至請求項１５のいずれかに記載のデータ送受信装置において、
前記第１，第２の送受信装置は、第１，第２のクロック信号を生成する第１，第２の発振手段をそれぞれさらに有し、
前記第１のモードでは、前記第１，第２の送受信装置は前記第１，第２のクロック信号にそれぞれ同期して動作し、
前記第２のモードでは、前記第２の送受信装置は前記第２のクロック信号に同期して動作するとともに、該第２のクロック信号を前記第１の送受信装置に出力し、該第１の送受信装置は前記入力された第２のクロック信号に同期して動作する、
ことを特徴とするデータ送受信装置。
【請求項１８】
請求項１３乃至請求項１５のいずれかに記載のデータ送受信装置において、
前記入出力制御手段は、一時記憶手段を備え、
該一時記憶手段を、
前記第１のモードでは、送信時に前記データ符号化復号化手段によって符号化されたデータを前記送受信手段より送信するために使用し、受信時に前記送受信手段の受信した第２の受信パケットを一時記憶するとともに、
前記第２のモードでは、送信時に前記データ符号化復号化手段によって符号化されたデータを、受信時に前記第１の送受信装置より入力された符号化データを、それぞれ一時記憶するために使用する、
ことを特徴とするデータ送受信装置。
【請求項１９】
データを送信する第１の送信装置と、
データを符号化し、符号化されたデータを送信する第２の送信装置とを備えたデータ送信装置におけるデータ送信方法であって、
第１のモードでは、前記第１の送信装置と前記第２の送信装置とを互いに独立して使用し、
第２のモードでは、前記第１の送信装置と前記第２の送信装置とを互いに接続して使用し、前記第２の送信装置により符号化されたデータを前記第１の送信装置が送信する、
ことを特徴とするデータ送信方法。
【請求項２０】
請求項１９に記載のデータ送信方法において、
前記第１のモードでは、前記第１の送信装置と前記第２の送信装置とは互いに別個の発振手段によりクロック信号を供給されて動作し、
前記第２のモードでは、前記第１，第２の送信装置のいずれか一方は１つの発振手段によりクロック信号を供給されて動作し、他の一方は該いずれか一方の送信装置から供給されるクロック信号に同期して動作する、
ことを特徴とするデータ送信方法。
【請求項２１】
請求項１９または請求項２０に記載のデータ送信方法において、
前記第２の送信装置は、一時記憶手段を備え、
該一時記憶手段を、前記第１のモードでは前記符号化されたデータを前記第２の送信装置より送信するために使用し、前記第２のモードでは該符号化されたデータを一時記憶して前記第１の送信装置より送信するために使用する、
ことを特徴とするデータ送信方法。
【請求項２２】
データを受信する第１の受信装置と、
データを受信復号化し、復号化されたデータを出力する第２の受信装置とを備えたデータ受信装置におけるデータ受信方法であって、
第１のモードでは、前記第１の受信装置と前記第２の受信装置とを互いに独立して使用し、
第２のモードでは、前記第１の受信装置と前記第２の受信装置とを互いに接続して使用し、前記第１の受信装置の受信したデータを前記第２の受信装置で復号化する、
ことを特徴とするデータ受信方法。
【請求項２３】
請求項２２に記載のデータ受信方法において、
前記第１のモードでは、前記第１の受信装置と前記第２の受信装置とは互いに別個の発振手段によりクロック信号を供給されて動作し、
前記第２のモードでは、前記第１，第２の受信装置のいずれか一方は１つの発振手段によりクロック信号を供給されて動作し、他の一方は該いずれか一方の受信装置から供給されるクロック信号に同期して動作する、
ことを特徴とするデータ受信方法。
【請求項２４】
請求項２２または請求項２３に記載のデータ受信方法において、
前記第２の受信装置は、一時記憶手段を備え、
該一時記憶手段を、前記第１のモードでは前記第２の受信装置が受信したデータを一時記憶するために使用し、前記第２のモードでは前記第１の受信装置が受信したデータを一時記憶するために使用する、
ことを特徴とするデータ受信方法。
【請求項２５】
データを送信、及び受信する第１の送受信装置と、
データを符号化して符号化されたデータを送信し、またはデータを受信復号化し復号化されたデータを出力する第２の送受信装置とを備えたデータ送受信装置におけるデータ送受信方法であって、
第１のモードでは、前記第１の送受信装置と前記第２の送受信装置とを互いに独立して使用し、
第２のモードでは、前記第１の送受信装置と前記第２の送受信装置とを互いに接続して使用し、送信時に前記第２の送受信装置が符号化したデータを前記第１の送受信装置が送信し、受信時に前記第１の送受信装置が受信したデータを前記第２の送受信装置で復号化する、
ことを特徴とするデータ送受信方法。
【請求項２６】
請求項２５に記載のデータ送受信方法において、
前記第１のモードでは、前記第１の送受信装置と前記第２の送受信装置とが互いに別個の発振手段によりクロック信号を供給されて動作し、
前記第２のモードでは、前記第１，第２の送受信装置のいずれか一方は１つの発振手段によりクロック信号を供給されて動作し、他の一方は該いずれか一方の送受信装置から供給されるクロック信号に同期して動作する、
ことを特徴とするデータ送受信方法。
【請求項２７】
請求項２５または請求項２６に記載のデータ送受信方法において、
前記第２の送受信装置は、一時記憶手段を備え、
該一時記憶手段を、
前記第１のモードでは、送信時に前記符号化されたデータを前記第２の送受信装置で送信するために使用し、受信時に前記第２の送受信装置が受信したデータを一時記憶するために使用し、
前記第２のモードでは、送信時に前記第２の送受信装置が符号化したデータを一時記憶して前記第１の送受信装置より送信するために使用し、受信時に前記第１の送受信装置が受信したデータを一時記憶するために使用する、
ことを特徴とするデータ送受信方法。
【発明の詳細な説明】
【技術分野】
【０００１】
本発明は、ＳＴＢ（Set Top Box）やＤＶＤレコーダ等で、データの送受信に使用されるデータ送信装置、データ受信装置、データ送受信装置、およびデータ送信方法、データ受信方法、データ送受信方法に関するものである。
【背景技術】
【０００２】
従来のデータ送受信装置は、それ単体でデータの送，受信を行うことを目的としている（例えば、特許文献１参照）。
図７は、従来のデータ送受信装置の一例を示す。図７において、５１は第１の送受信装置、５２は第２の送受信装置、５１１，５１２は入出力制御手段、５２２はデータ符号化復号化手段、５１３，５２３は送受信手段、５１４，５２４はコントローラ、５６は第１の発振手段、５７は第２の発振手段、５１ａ，５１ｂ，５１ｃ，５２ａ，５２ｃは入出力ポートである。
【０００３】
第１の送受信装置５１は、入出力制御手段５１１，送受信手段５１３およびこれらを制御するコントローラ５１４から構成されている。また、第２の送受信装置５２は、入出力制御手段５２１，データ符号化復号化手段５２２，送受信手段５２３およびこれらを制御するコントローラ５２４から構成されている。
【０００４】
以下、図７を用いて従来のデータ送受信装置について説明する。
ネットワークとデータ送受信装置との間で送受信するパケットとしては、例えばＭＰＥＧ−ＴＳ（Transport Stream）パケットがある。データ送受信装置はＭＰＥＧ−ＴＳパケットをネットワークへ送信する、あるいはネットワークよりＭＰＥＧ−ＴＳパケットを受信する。送受信するパケットにはＭＰＥＧ−ＴＳパケット以外に、デジタルビデオカメラで使用されるＤＶ（Digital Video）パケット等がある。このようなパケットを送受信するネットワークとして、IEEE1394シリアルインターフェース（以下、IEEE1394と称す）が広く知られている。
【０００５】
IEEE1394では、様々な伝送プロトコルが存在し、ＭＰＥＧ−ＴＳパケットやＤＶパケットの他に、Ｄｏｌｂｙ  ＤｉｇｉｔａｌやＭＰ３のような圧縮オーディオの伝送や、ＩＰ（Internet Protocol）パケットの伝送等が可能である。以下では、第１の送受信装置５１がIEEE1394の送受信装置であり、複数のプロトコルの送受信に対応しているが低価格であるものとして説明する。
【０００６】
第１の送受信装置５１は第１の発振手段５６より得られたクロックで動作している。第１の発振手段５６は、例えば水晶発振子である。入出力ポート５１ａ，５１ｂ，５１ｃには各ポート毎に相異なるプロトコルで予めエンコードされたパケットが入力される。各ポートとそれに入力するパケットのプロトコルとは１対１に対応しているものとする。第１，第２の送受信装置５１，５２は送受信モード切替え信号５６ａ，５６ｂの値を切替えることで、送信モードと受信モードとを切替えることができる。
【０００７】
送信時、入出力ポート５１ａ，５１ｂ，５１ｃのいずれかに入力されたパケットに対し、入出力制御手段５１１はネットワークで必要なヘッダを付加する。送受信手段５１３はヘッダが付加されたパケットをネットワークへ送信する。
【０００８】
受信時、送受信手段５１３はネットワークよりパケットを受信する。入出力制御手段５は受信されたパケットよりヘッダを削除し、パケットのプロトコルに応じて、入出力ポート５１ａ，５１ｂ，５１ｃのいずれかを介してデータを出力する。
【０００９】
一方、第２の送受信装置５２には、第１の送受信装置５１では対応しないプロトコルに対応しているデータ符号化復号化手段５２２が内蔵されている。ここでデータ符号化復号化手段５２２として、例えばＭＰＥＧ−ＴＳパケットのエンコーダあるいはデコーダや、ＤＶパケットのエンコーダあるいはデコーダが挙げられる。いずれにしてもデータ符号化復号化手段５２２は回路規模が大きく、単機能ではあるが高価なものである。以下では、第２の送受信装置５２がIEEE1394の送受信装置であり、なおかつＤＶパケットのエンコードとデコードが可能なデータ符号化復号化手段５２２を内蔵しているものとして説明する。
【００１０】
第２の送受信装置５２は、第２の発振手段５７より得られたクロックで動作している。第２の発振手段５７は、例えば水晶発振子である。
【００１１】
送信時、データ符号化復号化手段５２２は入力された映像信号と音声信号とをＤＶパケットへエンコードする。入出力制御手段５２１はＤＶパケットにIEEE1394で必要なヘッダを付加し、送受信手段５２３はヘッダの付加されたＤＶパケットをIEEE1394バスへ送信する。一般的に送受信手段５２３は、物理層とリンク層とで構成されている。
【００１２】
受信時、送受信手段５２３はIEEE1394バスよりヘッダの付加されたＤＶパケットを受信し、出力する。入出力制御手段５２１は不要なヘッダを削除し、ＤＶパケットが再生される。データ符号化復号化手段５２２は、ヘッダの削除されたＤＶパケットをデコードし、映像信号と音声信号とを出力する。
【００１３】
以上のように、第１の送受信装置５１と第２の送受信装置５２とは完全に独立しており、互いが連携して動作することはない。一般的に第１の送受信装置５１は１個のＬＳＩで構成され、第２の送受信装置５２はこれとは別個のＬＳＩで構成されており、これらが同時に使用されることはない。
【特許文献１】特開平１１−１７７５８１号公報（第４０頁、図１）
【発明の開示】
【発明が解決しようとする課題】
【００１４】
上記した従来の構成では、第１の送受信装置５１は低価格で複数のプロトコルを処理でき、汎用性は高いが、ＤＶパケットのエンコード、デコードができず、第２の送受信装置５２は単機能でＤＶパケットのエンコード、デコードはできるが、複数のプロトコルが処理できず汎用性が低く価格も高い。この相反する欠点を解消するために、第１の送受信装置５１と第２の送受信装置５２とを合わせ持った送受信装置を用いることが考えられるが、このような装置は、回路規模が極めて増大し価格の上昇を招くという新たな問題点が生じる。また、このような送受信装置は、第１の送受信装置５１の機能のみしか使用しない場合や第２の送受信装置５２の機能のみしか使用しない場合であっても、コストの増大を招くという問題も生じる。
【００１５】
本発明は、上記のような従来の問題点を解決するためになされたもので、第１の送受信装置と第２の送受信装置との単独での使用を可能としながら、低コストでの機能拡張が可能なデータ送信装置、データ受信装置、データ送受信装置、およびデータ送信方法、データ受信方法、データ送受信方法を提供することを目的とする。
【課題を解決するための手段】
【００１６】
この課題を解決するために、本発明の請求項１に記載のデータ送信装置は、入力されたデータを符号化し、符号化データを出力するデータ符号化手段と、第１のモードでは前記符号化データを第２の送信パケットに変換し、第２のモードでは該符号化データを第１の送信装置へ出力する出力制御手段と、前記第２の送信パケットを送信する送信手段とを有する、第２の送信装置と、前記第１のモードでは第１の送信パケットを送信し、前記第２のモードでは前記第２の送信装置より入力された符号化データを変換して第２の送信パケットとして送信する前記第１の送信装置と、を備えた、ことを特徴とするものである。
【００１７】
本発明の請求項２に記載のデータ送信装置は、請求項１に記載のデータ送信装置において、前記第１のモードでは前記第１の送信装置と前記第２の送信装置とを互いに独立して使用する、ことを特徴とするものである。
【００１８】
本発明の請求項３に記載のデータ送信装置は、請求項１に記載のデータ送信装置において、前記第２のモードでは前記送信手段は動作を停止する、ことを特徴とするものである。
【００１９】
本発明の請求項４に記載のデータ送信装置は、請求項１乃至請求項３のいずれかに記載のデータ送信装置において、前記第１，第２の送信装置は、第１，第２のクロック信号を生成する第１，第２の発振手段をそれぞれさらに有し、前記第１のモードでは、前記第１，第２の送信装置は前記第１，第２のクロック信号にそれぞれ同期して動作し、前記第２のモードでは、前記第１の送信装置は前記第１のクロック信号に同期して動作するとともに、該第１のクロック信号を前記第２の送信装置へ出力し、該第２の送信装置は入力された前記第１のクロック信号に同期して動作する、ことを特徴とするものである。
【００２０】
本発明の請求項５に記載のデータ送信装置は、請求項１乃至請求項３のいずれかに記載のデータ送信装置において、前記第１，第２の送信装置は、第１，第２のクロック信号を生成する第１，第２の発振手段をそれぞれさらに有し、前記第１のモードでは、前記第１，第２の送信装置は前記第１，第２のクロック信号にそれぞれ同期して動作し、前記第２のモードでは、前記第２の送信装置は前記第２のクロック信号に同期して動作するとともに、該第２のクロック信号を前記第１の送信装置へ出力し、該第１の送信装置は入力された前記第２のクロック信号に同期して動作する、ことを特徴とするものである。
【００２１】
本発明の請求項６に記載のデータ送信装置は、請求項１乃至請求項３のいずれかに記載のデータ送信装置において、前記出力制御手段は、一時記憶手段を備え、該一時記憶手段を、前記第１のモードでは前記符号化データを前記送信手段より送信するために使用し、前記第２のモードでは該符号化データを一時記憶して前記出力制御手段より前記第１の送信装置へ出力するために使用する、ことを特徴とするものである。
【００２２】
本発明の請求項７に記載のデータ受信装置は、第２の受信パケットを受信する受信手段と、第１のモードでは前記受信手段の受信した第２の受信パケットを符号化データに変換し、第２のモードでは第１の受信装置から入力された符号化データを出力する出力制御手段と、該出力制御手段により出力された符号化データを復号化するデータ復号化手段と、を有する、第２の受信装置と、前記第１のモードでは第１の受信パケットを受信し、前記第２のモードでは前記第２の受信パケットを受信して前記符号化データに変換する前記第１の受信装置と、を備えた、ことを特徴とするものである。
【００２３】
本発明の請求項８に記載のデータ受信装置は、請求項７に記載のデータ受信装置において、前記第１のモードでは前記第１の受信装置と前記第２の受信装置とを互いに独立して使用する、ことを特徴とするものである。
【００２４】
本発明の請求項９に記載のデータ受信装置は、請求項７に記載のデータ受信装置において、前記第２のモードでは前記受信手段は動作を停止する、ことを特徴とするものである。
【００２５】
本発明の請求項１０に記載のデータ受信装置は、請求項７乃至請求項９のいずれかに記載のデータ受信装置において、前記第１，第２の受信装置は、第１，第２のクロック信号を生成する第１，第２の発振手段をそれぞれさらに有し、前記第１のモードでは、前記第１，第２の受信装置は前記第１，第２のクロック信号にそれぞれ同期して動作し、前記第２のモードでは、前記第１の受信装置は前記第１のクロック信号に同期して動作するとともに、該第１のクロック信号を前記第２の受信装置へ出力し、該第２の受信装置は入力された前記第１のクロック信号に同期して動作する、ことを特徴とするものである。
【００２６】
本発明の請求項１１に記載のデータ受信装置は、請求項７乃至請求項９のいずれかに記載のデータ受信装置において、前記第１，第２の受信装置は、第１，第２のクロック信号を生成する第１，第２の発振手段をそれぞれさらに有し、前記第１のモードでは、前記第１，第２の受信装置は前記第１，第２のクロック信号にそれぞれ同期して動作し、前記第２のモードでは、前記第２の受信装置は前記第２のクロック信号に同期して動作するとともに、該第２のクロック信号を前記第１の受信装置へ出力し、該第１の受信装置は入力された前記第２のクロック信号に同期して動作する、ことを特徴とするものである。
【００２７】
本発明の請求項１２に記載のデータ受信装置は、請求項７乃至請求項９のいずれかに記載のデータ受信装置において、前記入力制御手段は、一時記憶手段を備え、該一時記憶手段を、前記第１のモードでは前記受信手段の受信した第２の受信パケットを一時記憶し、前記第２のモードでは前記第１の受信装置から入力された符号化データを一時記憶するために使用する、ことを特徴とするものである。
【００２８】
本発明の請求項１３に記載のデータ送受信装置は、入力されたデータを符号化して符号化データを出力し、または入力された符号化データを復号化して復号化データを出力するデータ符号化復号化手段と、第１のモードでは、送信時に前記データ符号化復号化手段から入力された符号化データを第２の送信パケットに変換して送受信手段に出力し、受信時に前記送受信手段の受信した第２の受信パケットを符号化データに変換して前記データ符号化復号化手段に出力し、第２のモードでは、送信時に前記データ符号化復号化手段から入力された符号化データを第１の送受信装置へ出力し、受信時に第１の送受信装置から入力された符号化データを前記データ符号化復号化手段に出力する入出力制御手段と、前記入出力制御手段により出力された第２の送信パケットを送信し、または第２の受信パケットを受信する送受信手段とを有する、第２の送受信装置と、送信時に、前記第１のモードでは第１の送信パケットを送信し、前記第２のモードでは前記第２の送受信装置より入力された符号化データを変換して第２の送信パケットとして送信し、受信時に、前記第１のモードでは第１の受信パケットを受信し、前記第２のモードでは前記第２の受信パケットを受信して前記符号化データに変換する前記第１の送受信装置と、を備えた、ことを特徴とするものである。
【００２９】
本発明の請求項１４に記載のデータ送受信装置は、請求項１３に記載のデータ送受信装置において、前記第１のモードでは、前記第１の送受信装置と前記第２の送受信装置とを互いに独立して使用する、ことを特徴とするものである。
【００３０】
本発明の請求項１５に記載のデータ送受信装置は、請求項１３に記載のデータ送受信装置において、前記第２のモードでは、前記送受信手段は動作を停止する、ことを特徴とするものである。
【００３１】
本発明の請求項１６に記載のデータ送受信装置は、第１，第２のクロック信号を生成する第１，第２の発振手段をそれぞれさらに有し、前記第１のモードでは、前記第１，第２の送受信装置は前記第１，第２のクロック信号にそれぞれ同期して動作し、前記第２のモードでは、前記第１の送受信装置は前記第１のクロック信号に同期して動作するとともに、該第１のクロック信号を前記第２の送受信装置に出力し、該第２の送受信装置は入力された前記第１のクロック信号に同期して動作する、ことを特徴とするものである。
【００３２】
本発明の請求項１７に記載のデータ送受信装置は、請求項１３乃至請求項１５のいずれかに記載のデータ送受信装置において、前記第１，第２の送受信装置は、第１，第２のクロック信号を生成する第１，第２の発振手段をそれぞれさらに有し、前記第１のモードでは、前記第１，第２の送受信装置は前記第１，第２のクロック信号にそれぞれ同期して動作し、前記第２のモードでは、前記第２の送受信装置は前記第２のクロック信号に同期して動作するとともに、該第２のクロック信号を前記第１の送受信装置に出力し、該第１の送受信装置は前記入力された第２のクロック信号に同期して動作する、ことを特徴とするものである。
【００３３】
本発明の請求項１８に記載のデータ送受信装置は、請求項１３乃至請求項１５のいずれかに記載のデータ送受信装置において、前記入出力制御手段は、一時記憶手段を備え、該一時記憶手段を、前記第１のモードでは、送信時に前記データ符号化復号化手段によって符号化されたデータを前記送受信手段より送信するために使用し、受信時に前記送受信手段の受信した第２の受信パケットを一時記憶するとともに、前記第２のモードでは、送信時に前記データ符号化復号化手段によって符号化されたデータを、受信時に前記第１の送受信装置より入力された符号化データを、それぞれ一時記憶するために使用する、ことを特徴とするものである。
【００３４】
本発明の請求項１９に記載のデータ送信方法は、データを送信する第１の送信装置と、データを符号化し、符号化されたデータを送信する第２の送信装置とを備えたデータ送信装置におけるデータ送信方法であって、第１のモードでは、前記第１の送信装置と前記第２の送信装置とを互いに独立して使用し、第２のモードでは、前記第１の送信装置と前記第２の送信装置とを互いに接続して使用し、前記第２の送信装置により符号化されたデータを前記第１の送信装置が送信する、ことを特徴とするものである。
【００３５】
本発明の請求項２０に記載のデータ送信方法は、請求項１９に記載のデータ送信方法において、前記第１のモードでは、前記第１の送信装置と前記第２の送信装置とは互いに別個の発振手段によりクロック信号を供給されて動作し、前記第２のモードでは、前記第１，第２の送信装置のいずれか一方は１つの発振手段によりクロック信号を供給されて動作し、他の一方は該いずれか一方の送信装置から供給されるクロック信号に同期して動作する、ことを特徴とするものである。
【００３６】
本発明の請求項２１に記載のデータ送信方法は、請求項１９または請求項２０に記載のデータ送信方法において、前記第２の送信装置は、一時記憶手段を備え、該一時記憶手段を、前記第１のモードでは前記符号化されたデータを前記第２の送信装置より送信するために使用し、前記第２のモードでは該符号化されたデータを一時記憶して前記第１の送信装置より送信するために使用する、ことを特徴とするものである。
【００３７】
本発明の請求項２２に記載のデータ受信方法は、データを受信する第１の受信装置と、データを受信復号化し、復号化されたデータを出力する第２の受信装置とを備えたデータ受信装置におけるデータ受信方法であって、第１のモードでは、前記第１の受信装置と前記第２の受信装置とを互いに独立して使用し、第２のモードでは、前記第１の受信装置と前記第２の受信装置とを互いに接続して使用し、前記第１の受信装置の受信したデータを前記第２の受信装置で復号化する、ことを特徴とするものである。
【００３８】
本発明の請求項２３に記載のデータ受信方法は、請求項２２に記載のデータ受信方法において、前記第１のモードでは、前記第１の受信装置と前記第２の受信装置とは互いに別個の発振手段によりクロック信号を供給されて動作し、前記第２のモードでは、前記第１，第２の受信装置のいずれか一方は１つの発振手段によりクロック信号を供給されて動作し、他の一方は該いずれか一方の受信装置から供給されるクロック信号に同期して動作する、ことを特徴とするものである。
【００３９】
本発明の請求項２４に記載のデータ受信方法は、請求項２２または請求項２３に記載のデータ受信方法において、前記第２の受信装置は、一時記憶手段を備え、該一時記憶手段を、前記第１のモードでは前記第２の受信装置が受信したデータを一時記憶するために使用し、前記第２のモードでは前記第１の受信装置が受信したデータを一時記憶するために使用する、ことを特徴とするものであるえう」、データ受信方法。
【００４０】
本発明の請求項２５に記載のデータ送受信方法は、データを送信、及び受信する第１の送受信装置と、データを符号化して符号化されたデータを送信し、またはデータを受信復号化し復号化されたデータを出力する第２の送受信装置とを備えたデータ送受信装置におけるデータ送受信方法であって、第１のモードでは、前記第１の送受信装置と前記第２の送受信装置とを互いに独立して使用し、第２のモードでは、前記第１の送受信装置と前記第２の送受信装置とを互いに接続して使用し、送信時に前記第２の送受信装置が符号化したデータを前記第１の送受信装置が送信し、受信時に前記第１の送受信装置が受信したデータを前記第２の送受信装置で復号化する、ことを特徴とするものである。
【００４１】
本発明の請求項２６に記載のデータ送受信方法は、請求項２５に記載のデータ送受信方法において、前記第１のモードでは、前記第１の送受信装置と前記第２の送受信装置とが互いに別個の発振手段によりクロック信号を供給されて動作し、前記第２のモードでは、前記第１，第２の送受信装置のいずれか一方は１つの発振手段によりクロック信号を供給されて動作し、他の一方は該いずれか一方の送受信装置から供給されるクロック信号に同期して動作する、ことを特徴とするものである。
【００４２】
本発明の請求項２７に記載のデータ送受信方法は、請求項２６に記載のデータ送受信方法において、前記第２の送受信装置は、一時記憶手段を備え、該一時記憶手段を、前記第１のモードでは、送信時に前記符号化されたデータを前記第２の送受信装置で送信するために使用し、受信時に前記第２の送受信装置が受信したデータを一時記憶するために使用し、前記第２のモードでは、送信時に前記第２の送受信装置が符号化したデータを一時記憶して前記第１の送受信装置より送信するために使用し、受信時に前記第１の送受信装置が受信したデータを一時記憶するために使用する、ことを特徴とするものである。
【発明の効果】
【００４３】
本発明に係るデータ送信装置によれば、入力されたデータを符号化し、符号化データを出力するデータ符号化手段と、第１のモードでは前記符号化データを第２の送信パケットに変換し、第２のモードでは該符号化データを第１の送信装置へ出力する出力制御手段と、前記第２の送信パケットを送信する前記送信手段とを有する、第２の送信装置と、前記第１のモードでは第１の送信パケットを送信し、前記第２のモードでは前記第２の送信装置より入力された符号化データを変換して第２の送信パケットとして送信する前記第１の送信装置と、を備えるようにしたので、第１のモードでは第１の送信装置と第２の送信装置とを個別に使用可能であることに加え、両者を接続する第２のモードでは、第２の送信装置の符号化データを第１の送信装置が送信することにより、さらなる機能拡張が可能となり、必要とされる機能に対して、コストを増大させることなくシステムを構成することが可能となる効果がある。
【００４４】
また、本発明に係るデータ送信装置によれば、第２のモードでは前記送信手段は動作を停止することとしたので、装置の消費電力を低減することができる効果がある。
【００４５】
また、本発明に係るデータ送信装置によれば、第２のモードでは、２つの発振手段の内一方を止めて、もう一方のクロック信号を第１と第２の送信装置に供給するようにしたので、装置の使用コストを低減することができるとともに、ほぼ同じ周波数で発振する２つの発振手段によって引き起こされる、両者の周波数の差分に相当する低域ノイズを無くすこともできるという効果がある。
【００４６】
また、本発明に係るデータ送信装置によれば、出力制御手段は、一時記憶手段を備え、該一時記憶手段を、前記第１のモードでは前記符号化データを前記送信手段より送信するために使用し、前記第２のモードでは該符号化データを一時記憶して前記出力制御手段より前記第１の送信装置へ出力するために使用する構成をとることとしたので、一時記憶手段を第１のモード、第２のモードとで共用化することで、第２の送信装置の回路規模をほとんど増大させることなく、第２のモードを実現できる。即ち、第２の送信装置の回路規模を増大させることなく、第１のモード、第２のモード２つのモードに対応させることができる効果がある。
【００４７】
また、本発明に係るデータ受信装置によれば、第２の受信パケットを受信する受信手段と、第１のモードでは前記受信手段の受信した第２の受信パケットを符号化データに変換し、第２のモードでは第１の受信装置から入力された符号化データを出力する出力制御手段と、該出力制御手段により出力された符号化データを復号化するデータ復号化手段と、を有する、第２の受信装置と、前記第１のモードでは第１の受信パケットを受信し、前記第２のモードでは前記第２の受信パケットを受信して符号化データに変換する前記第１の受信装置と、を備えるようにしたので、第１のモードでは第１の受信装置と第２の受信装置とを個別に使用可能であることに加え、両者を接続する第２のモードでは、第１の受信装置の受信したデータを第２の受信装置が復号化することにより、さらなる機能拡張が可能となり、必要とされる機能に対して、コストを増大させることなくシステムを構成することが可能となる効果がある。
【００４８】
また、本発明に係るデータ受信装置によれば、第２のモードでは前記受信手段は動作を停止することとしたので、装置の消費電力を低減することができる効果がある。
【００４９】
また、本発明に係るデータ受信装置によれば、第２のモードでは、２つの発振手段の内一方を止めて、もう一方のクロック信号を第１と第２の受信装置に供給するようにしたので、装置の使用コストを低減することができるとともに、ほぼ同じ周波数で発振する２つの発振手段によって引き起こされる、両者の周波数の差分に相当する低域ノイズを無くすこともできるという効果がある。
【００５０】
また、本発明に係るデータ受信装置によれば、入力制御手段は、一時記憶手段を備え、該一時記憶手段を、前記第１のモードでは前記受信手段の受信した第２の受信パケットを一時記憶し、前記第２のモードでは前記第１の受信装置から入力された符号化データを一時記憶するために使用する構成としたので、一時記憶手段を第１のモード、第２のモードとで共用化することで、第２の受信装置の回路規模をほとんど増大させることなく、第２のモードを実現できる。即ち、第２の受信装置の回路規模を増大させることなく、第１のモード、第２のモード２つのモードに対応させることができる効果がある。
【００５１】
また、本発明に係るデータ送受信装置によれば、入力されたデータを符号化して符号化データを出力し、または入力された符号化データを復号化して復号化データを出力するデータ符号化復号化手段と、第１のモードでは、送信時に前記データ符号化復号化手段から入力された符号化データを第２の送信パケットに変換して送受信手段に出力し、受信時に前記送受信手段の受信した第２の受信パケットを符号化データに変換して前記データ符号化復号化手段に出力し、第２のモードでは、送信時に前記データ符号化復号化手段から入力された符号化データを第１の送受信装置へ出力し、受信時に第１の送受信装置から入力された符号化データを前記データ符号化復号化手段に出力する入出力制御手段と、前記入出力制御手段により出力された第２の送信パケットを送信し、または第２の受信パケットを受信する送受信手段とを有する、第２の送受信装置と、送信時に、前記第１のモードでは第１の送信パケットを送信し、前記第２のモードでは前記第２の送受信装置より入力された符号化データを変換して第２の送信パケットとして送信し、受信時に、前記第１の受信パケットを受信し、前記第２のモードでは前記第２の受信パケットを受信し前記符号化データに変換する前記第１の送受信装置と、を備えるようにしたので、第１のモードでは第１の送受信装置と第２の送受信装置とを個別に使用可能であることに加え、両者を接続する第２のモードでは、第２の送信装置の符号化データを第１の送信装置が送信し、また第１の受信装置の受信したデータを第２の受信装置が復号化することにより、さらなる機能拡張が可能となり、必要とされる機能に対して、コストを増大させることなくシステムを構成することが可能となる効果がある。
【００５２】
また、本発明に係るデータ送受信装置によれば、第２のモードでは前記送受信手段は動作を停止することとしたので、装置の消費電力を低減することができる効果がある。
【００５３】
また、本発明に係るデータ送受信装置によれば、第２のモードでは、２つの発振手段の内一方を止めて、もう一方のクロック信号を第１と第２の送受信装置に供給するようにしたので、装置の使用コストを低減することができるとともに、ほぼ同じ周波数で発振する２つの発振手段によって引き起こされる、両者の周波数の差分に相当する低域ノイズを無くすこともできるという効果がある。
【００５４】
また、本発明に係るデータ送受信装置によれば、入出力制御手段は、一時記憶手段を備え、該一時記憶手段を、前記第１のモードでは、送信時に前記データ符号化復号化手段によって符号化されたデータを前記送受信手段より送信するために使用し、受信時に前記送受信手段の受信した第２の受信パケットを一時記憶するとともに、前記第２のモードでは、送信時に前記データ符号化復号化手段によって符号化されたデータを、受信時に前記第１の送受信装置より入力された符号化データを、それぞれ一時記憶するために使用する構成をとることとしたので、一時記憶手段を第１のモード、第２のモードとで共用化することで、第２の送受信装置の回路規模をほとんど増大させることなく、第２のモードを実現できる。即ち、第２の送受信装置の回路規模を増大させることなく、第１のモード、第２のモード２つのモードに対応させることができる効果がある。
【００５５】
また、本発明に係るデータ送信方法によれば、データを送信する第１の送信装置と、データを符号化し、符号化されたデータを送信する第２の送信装置とを備えたデータ送信装置におけるデータ送信方法であって、第１のモードでは、前記第１の送信装置と前記第２の送信装置とを互いに独立して使用し、第２のモードでは、前記第１の送信装置と前記第２の送信装置とを互いに接続して使用し、前記第２の送信装置の符号化されたデータを前記第１の送信装置が送信するようにしたので、第１のモードでは第１の送信装置と第２の送信装置とを個別に使用可能であることに加え、両者を接続する第２のモードでは、第２の送信装置の符号化データを第１の送信装置が送信することにより、さらなる機能拡張が可能となり、必要とされる機能に対して、コストを増大させることなくシステムを構成し、送信することが可能となる効果がある。
【００５６】
また、本発明に係るデータ送信方法によれば、第１のモードでは、前記第１の送信装置と前記第２の送信装置とは別々の発振手段によりクロック信号を供給され動作し、前記第２のモードでは、いずれか一方は発振手段によりクロック信号を供給され動作し、前記クロック信号に同期したクロック信号で他の一方は動作するようにしたので、装置の使用コストを低減することができるとともに、ほぼ同じ周波数で発振する２つの発振手段によって引き起こされる、両者の周波数の差分に相当する低域ノイズを無くすこともできるという効果がある。
【００５７】
また、本発明に係るデータ送信方法によれば、第２の送信装置は、一時記憶手段を備え、該一時記憶手段を、前記第１のモードでは前記符号化されたデータを前記第２の送信装置より送信するために使用し、前記第２のモードでは該符号化されたデータを一時記憶して前記第１の送信装置より送信するために使用する構成をとることとしたので、一時記憶手段を第１のモード、第２のモードとで共用化することで、第２の送信装置の回路規模をほとんど増大させることなく、第２のモードを実現できる。即ち、第２の送信装置の回路規模を増大させることなく、第１のモード、第２のモード２つのモードに対応させることができる効果がある。
【００５８】
また、本発明に係るデータ受信方法によれば、データを受信する第１の受信装置と、データを受信復号化し、復号化されたデータを出力する第２の受信装置とを備えたデータ受信装置におけるデータ受信方法であって、第１のモードでは、前記第１の受信装置と前記第２の受信装置とを互いに独立して使用し、第２のモードでは、前記第１の受信装置と前記第２の受信装置とを互いに接続して使用し、前記第１の受信装置の受信したデータを前記第２の受信装置で復号化し復号化されたデータを出力するようにしたので、第１のモードでは第１の受信装置と第２の受信装置とを個別に使用可能であることに加え、両者を接続する第２のモードでは、第１の受信装置の受信したものを第２の受信装置が復号化することができるため、さらなる機能拡張が可能となり、必要とされる機能に対して、コストを増大させることなくシステムを構成することが可能となる効果がある。
【００５９】
また、本発明に係るデータ受信方法によれば、前記第１のモードでは、前記第１の受信装置と前記第２の受信装置とは別々の発振手段によりクロック信号を供給され動作し、前記第２のモードでは、いずれか一方が発振手段によりクロック信号を供給され動作し、前記クロック信号に同期したクロックで他の一方が動作する構成を採ることとしたので、装置の使用コストを低減することができるとともに、ほぼ同じ周波数で発振する２つの発振手段によって引き起こされる、両者の周波数の差分に相当する低域ノイズを無くすこともできるという効果がある。
【００６０】
また、本発明に係るデータ受信方法によれば、前記第２の受信装置は、一時記憶手段を備え、該一時記憶手段を、前記第１のモードでは前記第２の受信装置の受信したデータを一時記憶するために使用し、前記第２のモードでは前記第１の受信装置の受信したデータを一時記憶するために使用する構成を採ることとしたので、一時記憶手段を第１のモード、第２のモードとで共用化することで、第２の受信装置の回路規模をほとんど増大させることなく、第２のモードを実現できる。即ち、第２の受信装置の回路規模を増大させることなく、第１のモード、第２のモード２つのモードに対応させることができる効果がある。
【００６１】
また、本発明に係るデータ送受信方法によれば、データを送信、及び受信する第１の送受信装置と、データを符号化して符号化されたデータを送信し、またはデータを受信復号化し復号化されたデータを出力する第２の送受信装置とを備えたデータ送受信装置におけるデータ送受信方法であって、第１のモードでは、前記第１の送受信装置と前記第２の送受信装置とを互いに独立して使用し、第２のモードでは、前記第１の送受信装置と前記第２の送受信装置とを互いに接続して使用し、送信時に前記第２の送受信装置の符号化したデータを前記第１の送受信装置が送信し、受信時に前記第１の送受信装置の受信したデータを前記第２の送受信装置で復号化し復号化されたデータを出力するようにしたので、第１のモードでは第１の送受信装置と第２の送受信装置とを個別に使用可能であることに加え、両者を接続する第２のモードでは、第２の送信装置の符号化データを第１の送信装置が送信し、また第１の受信装置の受信したデータを第２の受信装置が復号化することにより、さらなる機能拡張が可能となり、必要とされる機能に対して、コストを増大させることなくシステムを構成することが可能となる効果がある。
【００６２】
また、本発明に係るデータ送受信方法によれば、第１のモードでは、前記第１の送受信装置と前記第２の送受信装置とが別々の発振手段によりクロック信号を供給され動作し、前記第２のモードでは、いずれか一方が発振手段によりクロック信号を供給され動作し、前記クロック信号に同期したクロックで他の一方が動作するようにしたので、装置の使用コストを低減することができるとともに、ほぼ同じ周波数で発振する２つの発振手段によって引き起こされる、両者の周波数の差分に相当する低域ノイズを無くすこともできるという効果がある。
【００６３】
また、本発明に係るデータ送受信方法によれば、第２の送受信装置は、一時記憶手段を備え、該一時記憶手段を、前記第１のモードでは、送信時に前記符号化されたデータを前記第２の送受信装置で送信するために使用し、受信時に前記第２の送受信装置の受信したデータを一時記憶するために使用し、前記第２のモードでは、送信時に前記第２の送受信装置の符号化したデータを一時記憶して前記第１の送受信装置より送信するために使用し、受信時に前記第１の送受信装置の受信したデータを一時記憶するために使用する構成をとることとしたので、一時記憶手段を第１のモード、第２のモードとで共用化することで、第２の送受信装置の回路規模をほとんど増大させることなく、第２のモードを実現できる。即ち、第２の送受信装置の回路規模を増大させることなく、第１のモード、第２のモード２つのモードに対応させることができる効果がある。
【００６４】
以上のように、本発明によれば、第１の装置と第２の装置と（たとえば、第１の送受信装置と第２の送受信装置と）からなる装置において、第１の装置と第２の装置とが個別に動作するモードと、接続して動作するモードとを設けることによって、個別に使用可能であることに加え、両者を接続することで、さらなる機能拡張が可能となり、必要とされる機能に対して、コストを増大させることなくシステムを構成することが可能であり、両者を接続した場合にも低域ノイズが発生せず、消費電力も低減することができ、その実用的効果は大きい。
【発明を実施するための最良の形態】
【００６５】
以下、本発明の実施の形態について、図面を用いて説明する。
（実施の形態１）
本実施の形態１は、第１の送信装置と第２の送信装置とをそれぞれ独立して使用できるとともに、これらを連携して使用することにより両者の機能を併せ持つように機能を拡張可能としたものである。
【００６６】
図１は、本発明の実施の形態１によるデータ送信装置の構成を示すブロック図である。図１において、１１は第１の送信装置、１２は第２の送信装置、１１１は入力制御手段、１２１は出力制御手段、１２２はデータ符号化手段、１１３，１２３は送信手段、１１４，１２４はコントローラ、１６は第１の発振手段、１７は第２の発振手段、１１ａ，１１ｂ，１１ｃ，１２ａは入力ポート、１２ｂは出力ポート、１５ａ，１５ｂは動作モード切替信号線である。
【００６７】
第１の送信装置１１は、入出力制御手段１１１，送信手段１１３およびこれらを制御するコントローラ１１４から構成されている。また、第２の送信装置１２は、入出力制御手段１２１，データ符号化復号化手段１２２，送受信手段１２３およびこれらを制御するコントローラ１２４から構成されている。これら第１，第２の送信装置は動作モード切替信号線１５ａ，１５ｂの電圧レベルを変更することで、それぞれ単独で動作するか、連携して動作するかを切替えることができる。
【００６８】
以下、図１、図２を参照しながら、本実施の形態１によるデータ送信装置について説明する。
データ送信装置がネットワークへ送信するパケットとしては、例えばＭＰＥＧ−ＴＳパケットがある。データ送信装置はこのような送信パケットをネットワークへ送信する。送信するパケットにはＭＰＥＧ−ＴＳパケット以外に、デジタルビデオカメラで使用されるＤＶパケット等がある。このようなパケットを送信するネットワークとして、IEEE1394が広く知られている。以下では、第１の送信装置１１がIEEE1394の送信装置であり、複数のプロトコルに対応しており、低価格であるものとして説明する。
【００６９】
図１ａに示すように、第１の送信装置１１を単独で使用する場合（以下、モードＡと称す）、装置は、第１の発振手段１６から得られたクロックで動作する。第１の発振手段１６は、例えば水晶発振子である。入力ポート１１ａ，１１ｂ，１１ｃには相異なるプロトコルで予めエンコードされたパケットが対応するポートに入力される。送信時、入力ポート１１ａ，１１ｂ，１１ｃのいずれかに入力されたパケットに対し、入力制御手段１１１はネットワークで必要なヘッダを付加する。送信手段１１３はヘッダが付加されたパケットをネットワークへ送信する。
【００７０】
一方、第２の送信装置１２には、第１の送信装置１１では対応しないプロトコルに対応するデータ符号化手段１２２が内蔵されている。ここでデータ符号化手段１２２として、例えばＭＰＥＧ−ＴＳパケットのエンコーダや、ＤＶパケットのエンコーダが挙げられる。いずれにしてもデータ符号化手段１２２は回路規模が大きく、単機能ではあるが高価なものである。以下では、第２の送信装置１２がIEEE1394の送信装置であり、ＤＶパケットのエンコードが可能なデータ符号化手段１２２を内蔵しているものとして説明する。
【００７１】
図１ａに示すように第２の送信装置１２を単独で使用する場合（モードＡ）、装置は第２の発振手段１７から得られたクロックで動作している。第２の発振手段１７は、例えば水晶発振子である。データ符号化手段１２２は入力ポート１２ａより入力された映像信号と音声信号とをＤＶパケットへエンコードする。出力制御手段１２１はＤＶパケットにIEEE1394で必要なヘッダを付加し、送信手段１２３はヘッダの付加されたＤＶパケットをIEEE1394バスへ送信する。一般的に送信手段１２３は、物理層とリンク層とで構成されている。
【００７２】
これに対し、第１の送信装置１１と第２の送信装置１２とを接続して使用する場合（以下、モードＢと称す）、図１ｂに示すように、データ符号化手段１２２がエンコードしたＤＶパケットは、出力制御手段１２１により第２の送信装置１２側から第１の送信装置１１へバス１３を介して出力される。入力制御手段１１１はこのＤＶパケットにIEEE1394で必要なヘッダを付加し、送信手段１１３はヘッダが付加されたＤＶパケットをIEEE1394バスへ送信する。すわなち、複数のプロトコル処理が可能な第１の送信装置１１に、さらにデータ符号化手段１４によるＤＶパケットへのエンコード機能が付加され、その機能が拡張されたことになる。
【００７３】
図２に出力制御手段１３の具体的構成例を示す。図２において、１２１ａはヘッダ付加手段、１２１ｂはバッファ、１２１ｃはセレクタである。
【００７４】
モードＡで使用する時（図２ａ参照）、データ符号化手段１２２から出力されたＤＶパケットはセレクタ１２１ｃを介してヘッダ付加手段１２１ａに出力され、ヘッダが付加される。このヘッダはIEEE1394で必要とされるヘッダである。ヘッダの付加されたＤＶパケットは、バッファ１２１ｂで時間調整された後、送信手段１２３へ出力される。バッファ１２１ｂは例えばＲＡＭで構成され、ヘッダの付加されたＤＶパケットを一旦保持し、送信手段１２３がIEEE1394バスへ送信できるタイミングで出力するためのものである。
【００７５】
モードＢで使用する時（図２ｂ参照）、データ符号化手段１２２から出力されたＤＶパケットは、セレクタ１２１ｃを介してバッファ１２１ｂに出力され、バッファ１２１ｂで時間調整された後、第１の送信装置１１が受け取れるタイミングで出力される。その出力は、例えば１フレーム毎にほぼ同じ時間間隔で出力される。第１の送信装置１１はその入力制御手段１１１がヘッダを付加し、送信手段１１３はヘッダが付加されたパケットをネットワークへ送信する。
【００７６】
以上の構成により、バッファ１２１ｂをモードＡ、モードＢとで共用化することで、第２の送信装置１２の回路規模をほとんど増大させることなく、モードＢを実現できる。すなわち第２の送信装置１２の回路規模を増大させることなく、モードＡ、モードＢ２つのモードに対応させることができる。もちろん、モードＡとモードＢとで別々のバッファを設けてもモードＢを実現できるが、この場合、第２の送信装置１２の回路規模が増大することは言うまでもない。
【００７７】
一般的に第１の送信装置１１、第２の送信装置１２はそれぞれ異なるＬＳＩで構成される。よってモードＡでは、第１の送信装置１１であるＬＳＩのみを使用する時は複数のプロトコルの送信に対応することができ、第２の送信装置１２であるＬＳＩのみを使用する時はエンコードしたＤＶパケットを送信することができる。一方モードＢでは、第１の送信装置１１であるＬＳＩと第２の送信装置１２であるＬＳＩを互いに接続して使用すれば、複数のプロトコルの送信に対応できることに加え、エンコードしたＤＶパケットを送信することも可能となる。
【００７８】
このように、本実施の形態１によるデータ送信装置では、データ符号化手段と、バッファ及びヘッダ付加手段を有する出力制御手段と、送信手段とを備えた第２の送信装置と、複数のプロトコルでの送信に対応できる第１の送信装置とを設け、モードＡでは第１の送信装置、第２の送信装置はそれぞれ独立に各々のパケットデータをネットワークへ送信し、モードＢでは第２の送信装置は符号化したパケットデータを第１の送信装置に出力し、第１の送信装置により前記パケットデータをネットワークへ送信するようにしたので、モードＡでは第１の送信装置と第２の送信装置とを個別に使用可能であることに加え、両者を接続するモードＢでは、さらなる機能拡張が可能となり、必要とされる機能に対して、コストを増大させることなくシステムを構成することが可能となる。
【００７９】
また、図１ｂに示すように、モードＢで第１の送信装置１１と第２の送信装置１２とを接続して使用する時、発振手段を１つとすることもできる。例えば発振手段１６により生成されたクロックで第１の送信装置１１を動作させ、第１の送信装置１１より出力されるクロックを第２の送信装置１２が使用すれば、発振手段は１つでよい。逆に第１の送信装置１１側で、第２の送信装置１２に接続される第２の発振手段１７を使用してもよい。このような構成をとることで、発振手段が１つとなってコストを低減できるとともに、ほぼ同じ周波数で発振する２つの発振手段によって引き起こされる、両者の周波数の差分に相当する低域ノイズが全く発生しない。
【００８０】
さらにモードＢで第１の送信装置１１と第２の送信装置１２とを接続して使用する時、送信手段１２３は不使用となるので、送信手段１２３の電源を切る、クロックを止める、データを入力しない等により動作を停止させることで、モードＢでの消費電力の低減が可能となる。
【００８１】
なお、本実施の形態１ではIEEE1394の送信装置について説明したが、ＵＳＢや無線ＬＡＮ等であってもよい。またデータ符号化手段１２２がＤＶパケットへのエンコードを行う場合について説明したが、ＭＰＥＧ−ＴＳやＭＰ３等へのエンコードであってもよい。
【００８２】
また、モードＡ、Ｂの切替えは、ジャンパピン等で動作モード切替信号線の電圧レベルを設定することで行うようにしたが、これに限るものではなく、例えば、第１，第２の送信装置のコントローラを制御する上位のコントローラにより切替えを行うようにしてもよい。
【００８３】
また、送信装置は第１，第２、の２個に限るものではなく、３個以上を連携させて、さらなる機能拡張を行うようにしてもよい。
【００８４】
また、第１，第２の送信装置はバスにより相互に接続したが、これは無線等の他の通信路により接続してもよい。
【００８５】
また、第１，第２の送信装置はＬＳＩであるとしたが、これに限るものではない。
【００８６】
（実施の形態２）
本実施の形態２は、第１の受信装置と第２の受信装置とをそれぞれ独立して使用できるとともに、これらを連携して使用することにより両者の機能を併せ持つように機能を拡張可能としたものである。
【００８７】
図３は、本発明の実施の形態２によるデータ受信装置の構成を示すブロック図である。図３において、３１は第１の受信装置、３２は第２の受信装置、３１１は出力制御手段、３２１は入力制御手段、３２２はデータ復号化手段、３１３，３２３は受信手段、３６は第１の発振手段、３７は第２の発振手段、３１ａ，３１ｂ，３１ｃ，３２ａは出力ポート、３２ｂは入力ポート、３５ａ，３５ｂは実施の形態１の１５ａ，１５ｂと同様の動作モード切替え信号である。
【００８８】
第１の受信装置３１は、出力制御手段３１１，受信手段３１３およびこれらを制御するコントローラ３１４から構成されている。また、第２の受信装置３２は、入力制御手段３２１，データ復号化手段３２２，受信手段３２３およびこれらを制御するコントローラ３２４から構成されている。
【００８９】
以下、図３、図４を参照しながら、本実施の形態２によるデータ受信装置について説明する。
例えばＭＰＥＧ−ＴＳパケットをネットワークから受信する。受信するパケットにはＭＰＥＧ−ＴＳパケット以外に、ビデオカメラで使用されるＤＶパケット等がある。このようなパケットを受信するネットワークの規格として、IEEE1394が広く知られている。以下、第１の受信装置３１がIEEE1394の受信装置であり、複数のプロトコルの受信に対応しており汎用性が高く低価格であるものとして説明する。
【００９０】
図３ａに示すように、第１の受信装置３１は単独で使用する場合（以下、モードＡと称す）、第１の発振手段３６から得られたクロックで動作している。第１の発振手段３６は、例えば水晶発振子である。受信手段３１３は、ネットワークからパケットを受信する。入力制御手段３１１は受信したパケットから不要なヘッダを削除して３つの出力ポート３１ａ，３１ｂ，３１ｃのいずれか（プロトコルが対応するポート）に出力する。
【００９１】
一方、第２の受信装置３２には、第１の受信装置３１にはないデータ復号化手段３２２が内蔵されている。ここでデータ復号化手段３２２として、例えばＭＰＥＧ−ＴＳパケットのデコーダや、ＤＶパケットのデコーダが挙げられる。いずれにせよデータ復号化手段３２２は回路規模が大きく、単機能ではあるが高価なものである。以下、第２の受信装置３２がIEEE1394の受信装置であり、ＤＶパケットのデコードが可能なデータ復号化手段３２２を内蔵しているものとして説明する。
【００９２】
図３ａに示すように、第２の受信装置３２は、単独で使用する場合（モードＡ）、第２の発振手段３７から得られたクロックで動作している。第２の発振手段３７は、例えば水晶発振子である。受信手段３２３はIEEE1394バスよりヘッダの付加されたＤＶパケットを受信する。一般的に受信手段３２３は、物理層とリンク層とで構成されている。入力制御手段３２１は受信されたパケットから不要なヘッダを削除してＤＶパケットを出力し、データ復号化手段３２２は入力されたＤＶパケットをデコードし、映像信号と音声信号を出力ポート３２ａより出力する。
【００９３】
これに対し、第１の受信装置３１と第２の受信装置３２とを接続して使用する場合（以下、モードＢと称す）、図３ｂに示すように、第１の受信装置３１で受信され、出力制御手段３１１により不要なヘッダが削除されたＤＶパケットは、プロトコルに対応するバス３３を介して第２の受信装置３２へ出力され、データ復号化手段３２２は入力制御手段３２１を介して受け取った前記ＤＶパケットをデコードし、映像信号と音声信号とを出力する。すわなち、複数のプロトコル処理が可能な第１の受信装置３１に、さらにデータ復号化手段３２２によるＤＶパケットへのデコード機能が拡張されたことになる。
【００９４】
図４に入力制御手段３３の具体的構成例を示す。図４において、４１はヘッダ削除手段、４２はバッファ、３２１ｃはセレクタである。
【００９５】
モードＡで使用する時（図４ａ参照）、IEEE1394バスより受信されたパケットはバッファ３２１ｂで時間調整された後、ヘッダ削除手段３２１ａへ出力される。ヘッダ削除手段３２１ｂはIEEE1394で必要とされるヘッダを削除し、セレクタ３２１ｃを介してデータ復号化手段３２２へＤＶパケットを出力する。バッファ３２１ｂは例えばＲＡＭで構成され、ヘッダの付加されたＤＶパケットを一旦保持し、データ復号化手段３２２が復号化できるタイミングで出力するためのものであって、例えば１フレーム毎にほぼ均等な時間間隔で出力する。
【００９６】
モードＢで使用する時（図４ｂ参照）、第１の受信装置３１内でヘッダが削除されたＤＶパケットが入力され、バッファ３２１ｂで時間調整された後、セレクタ３２１ｃを介してデータ復号化手段３２２へ出力される。バッファ３２１ｂは例えばＲＡＭで構成され、ＤＶパケットを一旦保持し、データ復号化手段３２２が復号化できるタイミングで出力するためのものであって、例えば１フレーム毎にほぼ均等な時間間隔で出力する。
【００９７】
以上の構成により、バッファ４２をモードＡ、モードＢとで共用化することで、第２の受信装置３２の回路規模をほとんど増大させることなく、モードＢを実現できる。すなわち第２の受信装置３２の回路規模を増大させることなく、モードＡ、モードＢ２つのモードに対応させることができる。もちろん、モードＡとモードＢとで別々のバッファを設けてもモードＢを実現できるが、この場合、第２の受信装置３２の回路規模が増大することは言うまでもない。
【００９８】
一般的に第１の受信装置３１、第２の受信装置３２はそれぞれ異なるＬＳＩで構成される。よって、モードＡでは、第１の受信装置３１であるＬＳＩのみを使用する時は複数プロトコルに対応することができ、第２の受信装置３２であるＬＳＩのみを使用する時は受信したＤＶパケットをデコードすることができる。またモードＢでは、第１の受信装置３１であるＬＳＩと第２の受信装置３２であるＬＳＩとを互いに接続して使用すれば、複数のプロトコルの受信に対応できることに加え、第１の受信装置３１の受信したＤＶパケットをデコードして出力することが可能となる。
【００９９】
このように、本実施の形態２によるデータ受信装置では、復号化手段と、バッファ及びヘッダ削除手段を有する出力制御手段と、受信手段とを備えた第２の受信装置と、複数プロトコルに対応できる第１の受信装置とを設け、モードＡでは第１の受信装置、第２の受信装置３２はそれぞれ独立にパケットデータをネットワークから受信し、モードＢでは前記第１の受信装置はパケットデータをネットワークから受信して第２の受信装置へ出力し、該第２の受信装置は入力されたパケットデータを復号化するようにしたので、モードＡにおける第１の受信装置と第２の受信装置とを個別に使用可能であることに加え、両者を接続するモードＢでは、さらなる機能拡張が可能となり、必要とされる機能に対して、コストを増大させることなくシステムを構成することが可能となる。
【０１００】
なお、モードＢで第１の受信装置と第２の受信装置とを接続して使用する時、発振手段を１つとすることもできる。例えば図３ｂに示すように、第１の発振手段により生成されたクロックで第１の受信装置を動作させ、第１の受信装置より出力される、このクロックに同期したクロックを第２の受信装置が使用すれば、発振手段は１つでよい。逆に第１の受信装置側で第２の発振手段を使用してもよい。このような構成をとることで、発振手段が１つとなってコストを低減できるとともに、ほぼ同じ周波数で発振する２つの発振手段によって引き起こされる、両者の周波数の差分に相当する低域ノイズが全く発生しない。
【０１０１】
さらにモードＢで第１の受信装置と第２の受信装置とを接続して使用する時、受信手段３２３は不使用となるので、受信手段３２３の電源を切る、クロックを止める、データを入力しない等により動作を停止させることで、モードＡでの消費電力の低減が可能となる。
【０１０２】
なお、本実施の形態２ではIEEE1394の受信装置について説明したが、ＵＳＢや無線ＬＡＮ等であってもよい。またデータ復号化手段３２２がＤＶパケットからのデコードを行う場合について説明したが、ＭＰＥＧ−ＴＳやＭＰ３等からのデコードであってもよい。
【０１０３】
また、モードＡ、Ｂの切替えは、ジャンパピン等で動作モード切替信号線の電圧レベルを設定することで行うようにしたが、これに限るものではなく、例えば、第１，第２の受信装置のコントローラを制御する上位のコントローラにより切替えを行うようにしてもよい。
【０１０４】
また、受信装置は第１，第２、の２個に限るものではなく、３個以上を連携させて、さらなる機能拡張を行うようにしてもよい。
【０１０５】
また、第１，第２の受信装置はバスにより相互に接続したが、これは無線等の他の通信路により接続してもよい。
【０１０６】
さらに、第１の受信装置の出力制御手段は、第２の受信装置がデコードするプロトコルが入力された場合に、バス３３が接続された出力ポート（図示せず）を選択するようにしたが、バス５３が接続された出力ポートが３１ａ等の他の出力ポートに接続された場合でも、その接続された出力ポートを選択できるように、出力制御手段の選択ロジックを自由に変更できるようにしてもよい。
また、第１，第２の受信装置はＬＳＩであるとしたが、これに限るものではない。
【０１０７】
（実施の形態３）
本実施の形態３は、第１の送受信装置と第２の送受信装置とをそれぞれ独立して使用できるとともに、これらを連携して使用することにより両者の機能を併せ持つように機能を拡張可能としたものである。
【０１０８】
図５は、本発明の実施の形態３によるデータ送受信装置の構成を示すブロック図である。図５において、５１は第１の送受信装置、５２は第２の送受信装置、５１１，５２１は入出力制御手段、５２２はデータ符号化復号化手段、５１３，５２３は送受信手段、５１４，５２４はコントローラ、５６は第１の発振手段、５１ａ，５１ｂ，５２ａ，５２ｂは入出力ポート、５５ａ，５５ｂは実施の形態１の１５ａ，１５ｂと同様の動作モード切替信号線である。
【０１０９】
第１の送信装置５１は、入出力制御手段５１１，送信手段５１３およびこれらを制御するコントローラ５１４から構成されている。また、第２の送信装置５２は、入出力制御手段５２１，データ符号化復号化手段５２２，送受信手段５２３およびこれらを制御するコントローラ５２４から構成されている。
【０１１０】
なお、背景技術で説明した構成と同じ動作をするものについては、同じ番号を付し、その説明を省略する。
【０１１１】
以下、図５を参照しながら、本実施の形態３によるデータ送受信装置の動作について説明する。
第１の送受信装置５１を単独で使用する場合、又は第２の送受信装置５２を単独で使用する場合（以下、モードＡと称す）は、背景の技術において図７を用いて説明した場合とほぼ同じ動作を行うので、ここでは第１の送受信装置５１と第２の送受信装置５２とを接続して使用する場合（以下、モードＢと称す）の説明にとどめ、それ以外の説明は省略する。
【０１１２】
送信時、データ符号化復号化手段５２２がエンコードしたＤＶパケットは、入出力制御手段５２１により第２の送受信装置５２から第１の送受信装置５１へ出力される。第１の送受信装置５１は入出力制御手段によりこのＤＶパケットに必要なヘッダを付加し、送受信手段５１３はこのヘッダが付加されたＤＶパケットをIEEE1394バスへ送信する。
【０１１３】
受信時、第１の送受信装置５１で受信され、ヘッダが削除されたＤＶパケットは、プロトコルに対応するバス５４を介して第２の送受信装置５２へ出力され、入出力制御手段５２１を介してデータ符号化復号化手段５２２によりデコードされ、出力ポート５２ａを介して映像信号と音声信号として出力される。すわなち、複数のプロトコル処理が可能な第１の送受信装置５１に、さらにデータ符号化復号化手段５２２によるＤＶパケットのエンコードおよびデコード機能が付加され、その機能が拡張されたことになる。
【０１１４】
図６に入出力制御手段５２１の具体的構成例を示す。図６において、５２１ａはヘッダ削除手段、５２１ｂはヘッダ付加手段、５２１ｃはバッファ、５２１ｄないし５２１ｉはセレクタである。
【０１１５】
送信時にモードＡで使用する時（図６ａ参照）、データ符号化復号化手段５２２から出力されたＤＶパケットは、セレクタ５２１ｇを介してヘッダ付加手段５２１ｂへ出力される。ヘッダ付加手段５２１ｂはIEEE1394で必要とされるヘッダを付加し、セレクタ５２１ｅを介してバッファ５２１ｃにデータを出力する。ヘッダを付加されたＤＶパケットは、バッファ５２１ｃで時間調整された後、セレクタ５２１ｈを介して送受信手段５２３により、外部へ出力される。
【０１１６】
送信時にモードＢで使用する時（図６ｂ参照）、データ符号化復号化手段５２２から出力されたＤＶパケットは、セレクタ５２１ｇ，５２１ｆを介してバッファ５２１ｃに入力され、バッファ５２１ｃで時間調整された後、セレクタ５２１ｉを介して第１の送受信装置が受け取れるタイミングで出力される。例えば１フレーム毎にほぼ同じ時間間隔で出力される。
【０１１７】
受信時にモードＡで使用する時（図６ｃ参照）、IEEE1394バスより受信されたパケットはセレクタ５２１ｆを介してバッファ５２１ｃに出力され、バッファ５２１ｃで時間調整された後、セレクタ５２１ｉを介してヘッダ削除手段５２１ａへ出力される。ヘッダ削除手段５２１ａはIEEE1394で必要とされるヘッダを削除し、セレクタ５２１ｄを介してデータ符号化復号化手段５２２へＤＶパケットを出力する。バッファ５２１ｃは例えばＲＡＭで構成され、ヘッダの付加されたＤＶパケットを一旦保持し、データ符号化復号化手段５２１ｃが復号化できるタイミングで出力するためのものであって、例えば１フレーム毎にほぼ均等な時間間隔で出力する。
【０１１８】
受信時にモードＢで使用する時（図６ｄ参照）、第１の送受信装置５１から入力されたＤＶパケットは、セレクタ５２１ｅを介してバッファ５２１ｃに入力され、バッファ５２１ｃで時間調整された後、セレクタ５２１ｈ，５２１ｄを介してデータ符号化復号化手段５２２へ出力される。バッファ５２１ｃは例えばＲＡＭで構成され、ＤＶパケットを一旦保持し、データ符号化復号化手段５２２が復号化できるタイミングで出力するためのものであって、例えば１フレーム毎にほぼ均等な時間間隔で出力する。
【０１１９】
以上の構成により、バッファ５２１ｃをモードＡ、モードＢとで共用化することで、第２の送受信装置５２の回路規模をほとんど増大させることなく、モードＢを実現できる。すなわち第２の送受信装置５２の回路規模を増大させることなく、モードＡ、モードＢの２つのモードに対応させることができる。もちろん、モードＡとモードＢとで別々のバッファを設けてもモードＢを実現できるが、この場合、第２の送受信装置５２の回路規模が増大することは言うまでもない。
【０１２０】
一般的に第１の送受信装置５１、第２の送受信装置５２はそれぞれ異なるＬＳＩで構成される。よって、モードＡで、第１の送受信装置５１であるＬＳＩのみを使用する時は複数のプロトコルの送受信に対応することができ、第２の送受信装置５２であるＬＳＩのみを使用する時はエンコードしたＤＶパケットの送信、あるいは受信したＤＶパケットのデコードをすることができる。またモードＢで、第１の送受信装置５１であるＬＳＩと第２の送受信装置５２であるＬＳＩとを互いに接続して使用すれば、複数のプロトコルへの対応に加え、ＤＶパケットのエンコードおよびデコードを行うことが可能となる。
【０１２１】
このように、本実施の形態３によるデータ送受信装置では、バッファ、ヘッダ付加手段、及びヘッダ削除手段を有する入出力制御手段と、データ符号化復号化手段と、送受信手段とを備えた第２の送受信装置と、複数プロトコルの送受信に対応できる第１の送受信装置とを設け、モードＡでは第１の送受信装置、第２の送受信装置はそれぞれ独立にパケットデータをネットワークを介して送受信し、モードＢでは前記第１の送受信装置は前記パケットデータをネットワークから受信して第２の送受信装置へ出力し、該第２の送受信装置は入力されたパケットデータを復号化し、あるいはモードＢでは第２の送受信装置は符号化したパケットデータを第１の送受信装置へ出力し、前記第１の送受信装置は前記パケットデータをネットワークへ送信するようにしたので、第１の送受信信装置と第２の送受信装置とを個別に使用可能であることに加え、両者を接続することで、さらなる機能拡張が可能となり、必要とされる機能に対して、コストを増大させることなくシステムを構成することが可能となる。
【０１２２】
なお、図５に示すように、モードＢで第１の送受信装置と第２の送受信装置とを接続して使用する時、発振手段を１つとすることもできる。例えば第１の発振手段により生成されたクロックで第１の送受信装置を動作させ、第１の送受信装置より出力される、このクロックに同期したクロックを第２の送受信装置が使用すれば、発振手段は１つでよい。逆に第１の送受信装置側で、第２の送受信装置に接続される第２の発振手段を１つ使用してもよい。このような構成をとることで、発振手段が１つとなってコストを低減できるとともに、ほぼ同じ周波数で発振する２つの発振手段によって引き起こされる、両者の周波数の差分に相当する低域ノイズが全く発生しない。
【０１２３】
さらに、モードＢで第１の送受信装置５１と第２の送受信装置５２とを接続して使用する時、送受信手段５２３は不使用となるので、送受信手段５２３の電源を切る、クロックを止める、データを入力しない等により動作を停止させることで、モードＢでの消費電力の低減が可能となる。
【０１２４】
なお、本実施の形態３ではIEEE1394の送受信装置について説明したが、ＵＳＢや無線ＬＡＮ等であってもよい。またデータ符号化復号化手段５４がＤＶパケットのエンコードあるいはデコードを行う場合について説明したが、ＭＰＥＧ−ＴＳやＭＰ３等からのエンコードあるいはデコードであってもよい。
【０１２５】
また、モードＡ、Ｂの切替えは、ジャンパピン等で動作モード切替信号線の電圧レベルを設定することで行うようにしたが、これに限るものではなく、例えば、第１，第２の送受信装置のコントローラを制御する上位のコントローラにより切替えを行うようにしてもよい。
【０１２６】
また、送受信装置は第１，第２、の２個に限るものではなく、３個以上を連携させて、さらなる機能拡張を行うようにしてもよい。
また、第１，第２の送受信装置はバスにより相互に接続したが、これは無線等の他の通信路により接続してもよい。
【０１２７】
さらに、第１の送受信装置の入出力制御手段は、第２の送受信装置がデコードするプロトコルが入力された場合に、バス５４が接続された入出力ポート（図示せず）を選択するようにしたが、バス５４が接続された入出力ポートが５１ａ等の他の入出力ポートに接続された場合でも、その接続された入出力ポートを選択できるように、入出力制御手段の選択ロジックを自由に変更できるようにしてもよい。
また、第１，第２の送受信装置はＬＳＩであるとしたが、これに限るものではない。
【産業上の利用可能性】
【０１２８】
以上のように、本発明にかかるデータ送信装置、データ受信装置、データ送受信装置のいずれもは、低廉な第１の装置と高価な第２の装置とからなり、第１の装置と第２の装置とをそれぞれ独立に使用できることに加え、両者を連携して使用することにより機能拡張が可能となり、必要とされる機能に対して、コストを増大させることなくシステムを構成することができるものであり、多機能低コストの装置として有用である。また、本発明にかかるデータ送信方法、データ受信方法、データ送受信方法は、それぞれ上記のデータ送信装置、データ受信装置、データ送受信装置を製造するのに適している。
【図面の簡単な説明】
【０１２９】
【図１ａ】本発明の実施の形態１によるデータ送信装置の構成を示すブロック図であり、第１の送信装置と第２の送信装置とを独立して使用する態様を示す図である。
【図１ｂ】本発明の実施の形態１によるデータ送信装置の構成を示すブロック図であり、第１の送信装置と第２の送信装置とを接続して使用する態様を示す図である。
【図２ａ】本発明の実施の形態１によるデータ送信装置の出力制御手段の具体的構成例を示すブロック図であり、第１の送信装置と第２の送信装置とを独立して使用するときのデータの流れを示す図である。
【図２ｂ】本発明の実施の形態１によるデータ送信装置の出力制御手段の具体的構成例を示すブロック図であり、第１の送信装置と第２の送信装置とを接続して使用するときのデータの流れを示す図である。
【図３ａ】本発明の実施の形態２によるデータ受信装置の構成を示すブロック図であり、第１の受信装置と第２の受信装置とを独立して使用する態様を示す図である。
【図３ｂ】本発明の実施の形態２によるデータ受信装置の構成を示すブロック図であり、第１の受信装置と第２の受信装置とを接続して使用する態様を示す図である。
【図４ａ】本発明の実施の形態２によるデータ受信装置の入力制御手段の具体的構成例を示すブロック図であり、第１の受信装置と第２の受信装置とを独立して使用するときのデータの流れを示す図である。
【図４ｂ】本発明の実施の形態２によるデータ受信装置の入力制御手段の具体的構成例を示すブロック図であり、第１の受信装置と第２の受信装置とを接続して使用するときのデータの流れを示す図である。
【図５】本発明の実施の形態３によるデータ送受信装置の構成を示すブロック図である。
【図６ａ】本発明の実施の形態３によるデータ送受信装置の入出力制御手段の具体的構成例を示すブロック図であり、第１の送受信装置と第２の送受信装置とを独立して送信するときのデータの流れを示す図である。
【図６ｂ】本発明の実施の形態３によるデータ送受信装置の入出力制御手段の具体的構成例を示すブロック図であり、第１の送受信装置と第２の送受信装置とを接続して送信するときのデータの流れを示す図である。
【図６ｃ】本発明の実施の形態３によるデータ送受信装置の入出力制御手段の具体的構成例を示すブロック図であり、第１の送受信装置と第２の送受信装置とを独立して受信するときのデータの流れを示す図である。
【図６ｄ】本発明の実施の形態３によるデータ送受信装置の入出力制御手段の具体的構成例を示すブロック図であり、第１の送受信装置と第２の送受信装置とを接続して受信するときのデータの流れを示す図である。
【図７】従来のデータ送受信装置の構成を示すブロック図である。
【符号の説明】
【０１３０】
１１  第１の送信装置
１２  第２の送信装置
１２１  出力制御手段
１２２  データ符号化手段
１２３  送信手段
１６  第１の発振手段
１７  第２の発振手段
１２１ａ，５２１ｂ  ヘッダ付加手段
１２１ｂ  バッファ
３１  第１の受信装置
３２  第２の受信装置
３２１  入力制御手段
３２２  データ復号化手段
３２３  受信手段
３６  第１の発振手段
３７  第２の発振手段
３２１ａ，５２１ａ  ヘッダ削除手段
３２１ｂ  バッファ
３２１ｃ，５２１ｄ，５２１ｅ，５２１ｆ  セレクタ
５１  第１の送受信装置
５２  第２の送受信装置
５２１  入出力制御手段
５２２  データ符号化復号化手段
５２３  送受信手段
５６  第１の発振手段
５７  第２の発振手段
５２１ｃ  バッファ
【図１ａ】
2005123802.tif 000003
【図１ｂ】
2005123802.tif 000004
【図２ａ】
2005123802.tif 000005
【図２ｂ】
2005123802.tif 000006
【図３ａ】
2005123802.tif 000007
【図３ｂ】
2005123802.tif 000008
【図４ａ】
2005123802.tif 000009
【図４ｂ】
2005123802.tif 000010
【図５】
2005123802.tif 000011
【図６ａ】
2005123802.tif 000012
【図６ｂ】
2005123802.tif 000013
【図６ｃ】
2005123802.tif 000014
【図６ｄ】
2005123802.tif 000015
【図７】
2005123802.tif 000016